(57)【特許請求の範囲】
【請求項１】
通信端末による通信を中継する通信中継装置であって、
第１無線通信規格に準拠した第１通信接続を通信端末との間に確立する通信接続確立部と、
前記通信端末と前記通信中継装置とが第２無線通信規格に準拠した第２通信接続を確立するための通信設定情報を、前記第１通信接続を介して前記通信端末に送信することによって、前記通信端末と前記通信中継装置との間の通信接続の前記第１通信接続から前記第２通信接続への切り替えを制御する切替制御部と
を備え、
前記第１無線通信規格の最大通信速度は、前記第２無線通信規格の最大通信速度よりも遅く、
前記通信接続確立部は、前記第１通信接続を複数の通信端末と確立し、
前記切替制御部は、前記第１通信接続を確立している前記通信端末が前記第１通信接続を介してアクセスした通信先が、動画配信サイトである場合に、前記通信端末と前記通信中継装置との間の通信接続を前記第１通信接続から前記第２通信接続へ切り替えさせる、通信中継装置。
【請求項２】
前記通信接続確立部は、前記第２通信接続を複数の通信端末と確立し、
前記切替制御部は、前記第２通信接続を確立している前記通信端末が前記第２通信接続を介してアクセスした通信先が、コンテンツに動画を含まないサイトである場合に、前記通信端末と前記通信中継装置との間の通信接続を前記第２通信接続から前記第１通信接続へ切り替えさせる、請求項１に記載の通信中継装置。
【請求項３】
前記通信設定情報は、前記通信中継装置を識別する識別情報と、前記通信中継装置と第２通信接続を確立するための認証情報とを含む、請求項１又は２に記載の通信中継装置。
【請求項４】
前記識別情報は、前記通信中継装置のＳＳＩＤであり、前記認証情報はパスワードである、請求項３に記載の通信中継装置。
【請求項５】
前記認証情報は、ワンタイムパスワードである、請求項３又は４に記載の通信中継装置。
【請求項６】
前記通信中継装置が利用する複数の周波数帯の利用状況に基づいて生成したチャネル情報を含む前記通信設定情報を生成する通信設定情報生成部をさらに備える、請求項３から５のいずれか一項に記載の通信中継装置。
【請求項７】
前記第１無線通信規格は２．４ＧＨｚ帯の周波数帯域を利用する通信規格であり、前記第２無線通信規格は５ＧＨｚ帯の周波数帯域を利用する通信規格である、請求項１から６のいずれか一項に記載の通信中継装置。
【請求項８】
デジタル放送を受信するデジタル放送受信部
を更に備え、
前記切替制御部は、前記デジタル放送受信部が受信した前記デジタル放送に対応し、かつ、フルセグに対応する動画データを、前記第１通信接続を確立している前記通信端末に送信する場合、前記通信端末と前記通信中継装置との間の通信接続を前記第１通信接続から前記第２通信接続へ切り替えさせ、前記デジタル放送受信部が受信した前記デジタル放送に対応し、かつ、ワンセグに対応する動画データを、前記第１通信接続を確立している前記通信端末に送信する場合、前記通信端末と前記通信中継装置との間の前記通信接続を切り替えさせない、請求項１から７のいずれか一項に記載の通信中継装置。
【請求項９】
前記切替制御部は、前記第１無線通信規格が利用する周波数帯に対する干渉を検出した場合に、前記通信端末と前記通信中継装置との間の通信接続の前記第１通信接続から前記第２通信接続への切り替えを制御する、請求項１から８のいずれか一項に記載の通信中継装置。
【請求項１０】
通信端末による通信を中継する通信中継装置であって、
第１の周波数帯を利用した第１通信接続を前記通信端末との間に確立する通信接続確立部と、
前記通信端末が前記第１通信接続を介してアクセスした通信アクセス先が予め登録された通信先である場合、前記通信端末が実行したアプリケーションが予め登録されたアプリケーションである場合、又は、前記第１の周波数帯に対する干渉を検出した場合に、前記通信端末と前記通信中継装置との間の通信接続の前記第１通信接続から第２の周波数帯を利用した第２通信接続への切り替えを制御する切替制御部と
を備え、
前記第１の周波数帯を利用した前記第１通信接続の最大通信速度は、前記第２の周波数帯を利用した前記第２通信接続の最大通信速度よりも遅く、
前記通信接続確立部は、前記第１通信接続を複数の通信端末と確立し、
前記切替制御部は、前記第１通信接続を確立している前記通信端末が前記第１通信接続を介してアクセスした通信先が、動画配信サイトである場合に、前記通信端末と前記通信中継装置との間の通信接続を前記第１通信接続から前記第２通信接続へ切り替えさせる、通信中継装置。
【請求項１１】
前記通信接続確立部は、前記第２通信接続を複数の通信端末と確立し、
前記切替制御部は、前記第２通信接続を確立している前記通信端末が前記第２通信接続を介してアクセスした通信先が、コンテンツに動画を含まないサイトである場合に、前記通信端末と前記通信中継装置との間の通信接続を前記第２通信接続から前記第１通信接続へ切り替えさせる、請求項１０に記載の通信中継装置。
【請求項１２】
デジタル放送を受信するデジタル放送受信部
をさらに備え、
前記切替制御部は、前記デジタル放送受信部が受信した前記デジタル放送に対応し、かつ、フルセグに対応する動画データを、前記第１通信接続を確立している前記通信端末に送信する場合、前記通信端末と前記通信中継装置との間の通信接続を前記第１通信接続から前記第２通信接続へ切り替えさせ、前記デジタル放送受信部が受信した前記デジタル放送に対応し、かつ、ワンセグに対応する動画データを、前記第１通信接続を確立している前記通信端末に送信する場合、前記通信端末と前記通信中継装置との間の前記通信接続を切り替えさせない、請求項１０又は１１に記載の通信中継装置。
【請求項１３】
コンピュータを、請求項１から１２のいずれか一項に記載の通信中継装置として機能させるためのプログラム。
【発明の詳細な説明】
【技術分野】
【０００１】
本発明は、通信中継装置、通信端末及びプログラムに関する。
【背景技術】
【０００２】
２．４ＧＨｚ帯と５ＧＨｚ帯との双方についての通信サービスを提供する無線ＬＡＮ基地局が知られていた。（例えば、特許文献１参照）。
［先行技術文献］
［特許文献］
［特許文献１］特開２０１３−１１０６０５号公報
【発明の概要】
【発明が解決しようとする課題】
【０００３】
無線ＬＡＮ基地局等の通信中継装置は、複数の種類の通信接続のうち、より適切な種類の通信接続を通信端末との間で効率的に確立できることが望ましい。
【課題を解決するための手段】
【０００４】
本発明の第１の態様によれば、通信端末による通信を中継する通信中継装置であって、第１無線通信規格に準拠した第１通信接続を通信端末との間に確立する通信接続確立部と、通信端末と通信中継装置とが第２無線通信規格に準拠した第２通信接続を確立するための通信設定情報を、第１通信接続を介して通信端末に送信することによって、通信端末と通信中継装置との間の通信接続の第１通信接続から第２通信接続への切り替えを制御する切替制御部とを備える通信中継装置が提供される。
【０００５】
上記通信設定情報は、上記通信中継装置を識別する識別情報と、上記通信中継装置と第２通信接続を確立するための認証情報とを含んでよい。上記識別情報は、上記通信中継装置のＳＳＩＤであってよく、上記認証情報はパスワードであってよい。上記認証情報は、ワンタイムパスワードであってよい。上記通信中継装置は、上記通信中継装置が利用する複数の周波数帯の利用状況に基づいて生成したチャネル情報を含む上記通信設定情報を生成する通信設定情報生成部をさらに備えてよい。
【０００６】
上記第１無線通信規格は２．４ＧＨｚ帯の周波数帯域を利用する通信規格及び５ＧＨｚ帯の周波数帯域を利用する通信規格のうちの一方であり、上記第２無線通信規格は上記２．４ＧＨｚ帯の周波数帯域を利用する通信規格及び上記５ＧＨｚ帯の周波数帯域を利用する通信規格のうちの他方であってよい。上記切替制御部は、上記通信端末が上記第１通信接続を介してアクセスした通信先が予め登録された通信先である場合に、上記通信端末と上記通信中継装置との間の通信接続の上記第１通信接続から上記第２通信接続への切り替えを制御してよい。上記切替制御部は、上記通信端末が実行したアプリケーションが予め登録されたアプリケーションである場合に、上記通信端末と上記通信中継装置との間の通信接続の上記第１通信接続から上記第２通信接続への切り替えを制御してよい。
【０００７】
上記通信中継装置は、デジタル放送を受信するデジタル放送受信部を更に備えてよく、上記第１無線通信規格の最大通信速度は、上記第２無線通信規格の最大通信速度よりも遅くてよく、上記切替制御部は、上記デジタル放送受信部が受信した上記デジタル放送に対応する動画データを上記通信端末に送信する場合に、上記通信端末と上記通信中継装置との間の通信接続の上記第１通信接続から上記第２通信接続への切り替えを制御してよい。上記切替制御部は、上記第１無線通信規格が利用する周波数帯に対する干渉を検出した場合に、上記通信端末と上記通信中継装置との間の通信接続の上記第１通信接続から上記第２通信接続への切り替えを制御してよい。
【０００８】
本発明の第２の態様によれば、通信端末による通信を中継する通信中継装置であって、第１の周波数帯を利用した第１通信接続を上記通信端末との間に確立する通信接続確立部と、上記通信端末が上記第１通信接続を介してアクセスした通信先が予め登録された通信先である場合、上記通信端末が実行したアプリケーションが予め登録されたアプリケーションである場合、又は、上記第１無線通信規格が利用する周波数帯に対する干渉を検出した場合に、上記通信端末と上記通信中継装置との間の通信接続の上記第１通信接続から第２の周波数帯を利用した第２通信接続への切り替えを制御する切替制御部とを備える、通信中継装置が提供される。
【０００９】
本発明の第３の態様によれば、コンピュータを、上記通信中継装置として機能させるためのプログラムが提供される。
【００１０】
本発明の第４の態様によれば、通信端末であって、上記通信端末の通信を中継する通信中継装置との間に、第１無線通信規格に準拠した第１通信接続を確立する通信接続確立部と、上記通信端末と上記通信中継装置とが第２無線通信規格に準拠した第２通信接続を確立するための通信設定情報を、上記第１通信接続を介して上記通信中継装置から受信する通信設定情報受信部と、を備え、上記通信接続確立部は、上記第１通信接続を介して上記通信中継装置から受信した上記通信設定情報を用いて上記通信中継装置との間に上記第２通信接続を確立する、通信端末が提供される。
【００１１】
本発明の第５の態様によれば、コンピュータを、上記通信端末として機能させるためのプログラムが提供される。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】通信中継装置１００の通信環境の一例を概略的に示す。
【図２】通信中継装置１００及び通信端末２００による処理の流れの一例を概略的に示す。
【図３】通信中継装置１００の機能構成の一例を概略的に示す。
【図４】通信端末２００の機能構成の一例を概略的に示す。
【図５】通信中継装置１００による処理の流れの一例を概略的に示す。
【図６】通信中継装置１００と複数の通信端末２００との間の通信接続の一例を概略的に示す。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、通信中継装置１００の通信環境の一例を概略的に示す。通信中継装置１００は、通信端末２００による通信を中継する。通信中継装置１００は、無線ＬＡＮルータであってよい。通信中継装置１００は、例えば、モバイルＷｉ‐Ｆｉ（登録商標）ルータであり、通信端末２００と基地局２０との間の通信を中継する。
【００１６】
通信中継装置１００は、無線ＬＡＮルータと通信端末２００との間の通信を中継する無線ＬＡＮ中継器であってもよい。また、通信中継装置１００は、有線ＬＡＮ接続が可能な据え置き型のＷｉ‐Ｆｉルータであってもよく、通信端末２００と有線ＬＡＮにおけるルータとの通信を中継してもよい。
【００１７】
通信中継装置１００は、複数の無線通信規格に対応してよい。例えば、通信中継装置１００は、ＩＥＥＥ８０２．１１の複数の伝送規格のうち２つ以上の伝送規格に対応する。通信中継装置１００は、２．４ＧＨｚ帯の周波数帯域を利用する通信規格、５ＧＨｚ帯の周波数帯域を利用する通信規格、６０ＧＨｚ帯の周波数帯域を利用する通信規格、ＳｕｂＧＨｚ帯の周波数帯域を利用する通信規格及びその他の周波数帯域を利用する通信規格のうち２つ以上の通信規格に対応してよい。
【００１８】
通信中継装置１００は、複数の通信端末２００のそれぞれとの間に通信接続を確立する。通信中継装置１００は、複数の通信端末２００のそれぞれとの間に、異なる種類の通信接続を確立してよい。例えば、通信中継装置１００は、一の通信端末２００と５ＧＨｚ帯の周波数帯域を利用する通信規格に準拠した通信接続（５ＧＨｚ帯通信接続と記載する場合がある。）を確立しつつ、他の通信端末２００と２．４ＧＨｚの周波数帯域を利用する通信規格に準拠した通信接続（２．４ＧＨｚ帯通信接続と記載する場合がある。）を確立する。
【００１９】
通信端末２００は、通信中継装置１００と無線通信する。通信端末２００は、通信中継装置１００と通信接続を確立することができれば、どのような端末であってもよい。例えば、通信端末２００は、スマートフォン等の携帯電話、タブレット端末及びパーソナルコンピュータ等である。また、通信端末２００は、無線通信機能を備えるテレビ、エアコン及び冷蔵庫等の家電であってもよい。
【００２０】
基地局２０は、３Ｇ（第３世代移動通信システム）、ＬＴＥ（Ｌｏｎｇ  Ｔｅｒｍ  Ｅｖｏｌｕｔｉｏｎ）又は４Ｇ（第４世代移動通信システム）等に属する基地局であってよい。ネットワーク１０は、３Ｇ、ＬＴＥ及び４Ｇ等の携帯電話網、ＬＡＮ及びＷＡＮ等の専用網、並びにインターネット等を含んでよい。
【００２１】
本実施形態に係る通信中継装置１００は、複数の無線通信規格のうちの一の通信規格に準拠した通信接続を通信端末との間に確立しているときに、状況に応じて、当該通信端末との間の通信接続を、当該一の通信規格に準拠した通信接続から他の通信規格に準拠した通信接続に切り替えさせる。例えば、通信中継装置１００は、一の通信規格に準拠した通信接続を通信端末との間に確立しているときに、当該通信端末が高いスループットを必要とする状況になると予測される場合又は高いスループットを必要とする状況になった場合に、当該通信端末との間の通信接続を、当該一の通信規格よりも高いスループットを実現できる他の通信規格に準拠した通信接続に切り替えさせる。
【００２２】
判断基準管理装置３００は、複数種類の通信接続を切り替える判断基準を管理する。複数種類の通信接続とは、利用する周波数帯がそれぞれ異なる複数の通信接続であってよい。例えば、複数種類の通信接続とは、複数の無線通信規格のそれぞれに準拠した複数の通信接続である。複数種類の通信接続は、２．４ＧＨｚ帯通信接続、５ＧＨｚ帯通信接続、６０ＧＨｚ帯通信接続、ＳｕｂＧＨｚ帯通信接続及び他の周波数帯を利用する通信規格に準拠した通信接続を含んでよい。また、複数種類の通信接続は、一の無線通信規格における複数のチャネルのそれぞれを利用した通信接続を含んでよい。
【００２３】
判断基準管理装置３００は、例えば、複数の無線通信規格のうちの一の通信規格に準拠した通信接続から、複数の無線通信規格のうちの他の通信規格に準拠した通信接続へ切り替えるか否かを判断する判断基準を管理する。また、例えば、判断基準管理装置３００は、一の無線通信規格における複数のチャネルのうちの一のチャネルを利用した通信接続から、他のチャネルを利用した通信接続へ切り替えるか否かを判断する判断基準を管理する。
【００２４】
通信中継装置１００は、ネットワーク１０を介して、判断基準管理装置３００から判断基準を含む判断基準情報を受信してよい。例えば、判断基準管理装置３００は、新たな判断基準が登録された場合に、通信中継装置１００に対して当該新たな判断基準を含む判断基準情報を送信する。判断基準管理装置３００は、例えば、通信中継装置１００を製造する製造元及び通信中継装置１００を管理する管理元等によって管理される。
【００２５】
図２は、通信中継装置１００及び通信端末２００による処理の流れの一例を概略的に示す。ここでは、通信中継装置１００が、５ＧＨｚ帯を利用する通信規格及び２．４ＧＨｚ帯を利用する通信規格をサポートする場合を例示する。
【００２６】
ステップ２０２（ステップをＳと省略して記載する場合がある。）では、通信端末２００が、２．４ＧＨｚ用のプロファイルを生成する。通信端末２００は、例えば、通信端末２００を操作する操作者の指示に従って、２．４ＧＨｚ用のプロファイルを生成する。２．４ＧＨｚ用のプロファイルとは、通信端末２００と通信中継装置１００とが、例えば８０２．１１ｎのような２．４ＧＨｚ帯通信接続を確立するための情報である。
【００２７】
プロファイルは、通信中継装置１００のＳＳＩＤ（Ｓｅｒｖｉｃｅ  Ｓｅｔ  Ｉｄｅｎｔｉｆｉｅｒ）及びＷｉ‐Ｆｉ接続用のパスワードを含んでよい。ＳＳＩＤは、通信中継装置１００を識別する識別情報の一例であってよい。Ｗｉ‐Ｆｉ接続用のパスワードは、通信中継装置１００と通信接続を確立するための認証情報の一例であってよい。プロファイルは、通信設定情報の一例であってよい。
【００２８】
通信端末２００は、例えば、通信端末２００の操作者によって入力された通信中継装置１００のＳＳＩＤ及びパスワードを用いて、２．４ＧＨｚ用のプロファイルを生成してよい。通信端末２００は、通信中継装置１００によってブロードキャストされるＳＳＩＤを受信してもよい。
【００２９】
通信中継装置１００の２．４ＧＨｚ帯用のＳＳＩＤと５ＧＨｚ帯用のＳＳＩＤとが異なる場合、通信端末２００は、２．４ＧＨｚ帯用のＳＳＩＤ及びパスワードを用いて２．４ＧＨｚ用のプロファイルを生成してよい。また、通信中継装置１００の２．４ＧＨｚ帯用のＳＳＩＤと５ＧＨｚ帯用のＳＳＩＤとが同一である場合、通信端末２００は、ＳＳＩＤ及びパスワードと、２．４ＧＨｚ帯を利用した通信用のプロファイルであることを示す情報とを用いて、２．４ＧＨｚ用のプロファイルを生成してよい。
【００３０】
Ｓ２０４では、Ｓ２０２で生成された２．４ＧＨｚ用のプロファイルを用いて、通信端末２００と通信中継装置１００とが通信接続を確立する。通信端末２００が２．４ＧＨｚ用のプロファイルを通信中継装置１００に送信し、通信中継装置１００が受信したプロファイルを認証することによって、通信接続が確立されてよい。
【００３１】
Ｓ２０６では、Ｓ２０４で確立された通信接続を介して、通信端末２００と通信中継装置１００とが通信する。通信中継装置１００は、通信端末２００とネットワーク１０との間の通信を中継してよい。
【００３２】
Ｓ２０８では、通信中継装置１００が、通信端末２００との間の通信接続の、２．４ＧＨｚ帯通信接続から、５ＧＨｚ帯通信接続への切り替えを決定する。例えば、通信中継装置１００は、通信端末２００が通信中継装置１００を介してアクセスした通信先が、予め登録された動画配信サイト等の高いスループットが必要となる通信先である場合に、５ＧＨｚ帯通信接続への切り替えを決定する。
【００３３】
Ｓ２１０では、通信中継装置１００が、５ＧＨｚ帯通信接続を確立するための５ＧＨｚ用のプロファイルを生成する。５ＧＨｚ用のプロファイルは、通信中継装置１００のＳＳＩＤ及びパスワードを含んでよい。
【００３４】
通信中継装置１００の５ＧＨｚ帯用のＳＳＩＤと２．４ＧＨｚ帯用のＳＳＩＤとが異なる場合、通信中継装置１００は、５ＧＨｚ帯用のＳＳＩＤとパスワードとを用いて５ＧＨｚ用のプロファイルを生成してよい。通信中継装置１００５ＧＨｚ帯用のＳＳＩＤと２．４ＧＨｚ帯用のＳＳＩＤとが同一である場合、通信中継装置１００は、ＳＳＩＤ及びパスワードと、５ＧＨｚ帯を利用した通信用のプロファイルであることを示す情報とを用いて、５ＧＨｚ用のプロファイルを生成してよい。
【００３５】
通信中継装置１００は、通信端末２００に割り当てるチャネルを示すチャネル情報を５ＧＨｚ用のプロファイルに含めてよい。通信中継装置１００は、例えば、５ＧＨｚ帯に含まれる複数のチャネルのうち、未使用のチャネルの情報を示すチャネル情報を５ＧＨｚ用のプロファイルに含める。
【００３６】
通信中継装置１００は、通信端末２００に割り当てるＩＰアドレスの情報を示すＩＰ情報を５ＧＨｚ用のプロファイルに含めてよい。通信中継装置１００は、自らが管理する複数のＩＰアドレスのうち、未使用のＩＰアドレスを示すＩＰ情報を５ＧＨｚ用のプロファイルに含めてよい。
【００３７】
Ｓ２１２では、通信中継装置１００が、Ｓ２０４で確立された２．４ＧＨｚ帯通信接続を介して、Ｓ２１０で生成した５ＧＨｚ用のプロファイルを通信端末２００に送信する。通信中継装置１００は、５ＧＨｚ用のプロファイルと５ＧＨｚ帯通信接続に切り替える指示とを通信端末２００に送信してもよい。また、通信中継装置１００は、５ＧＨｚ用のプロファイルと、通信切断要求とを通信端末２００に送信してもよい。
【００３８】
Ｓ２１４では、通信端末２００が、Ｓ２１２で通信中継装置１００から受信した５ＧＨｚ用のプロファイルを用いて、通信中継装置１００との間に５ＧＨｚ帯通信接続を確立する。通信端末２００は、５ＧＨｚ用のプロファイルを受信したことに応じて２．４ＧＨｚ帯通信接続を切断して、受信した５ＧＨｚ用のプロファイルを通信中継装置１００に送信する。そして、通信中継装置１００が受信したプロファイルを認証することによって、５ＧＨｚ帯通信接続が確立される。
【００３９】
通信端末２００は、５ＧＨｚ用のプロファイルと５ＧＨｚ帯通信接続に切り替える指示とを通信中継装置１００から受信した場合、当該指示に従って、通信中継装置１００との間に５ＧＨｚ帯通信接続を確立してよい。また、通信端末２００は、５ＧＨｚ用のプロファイルと通信切断要求とを受信した場合、当該通信切断要求に従って、２．４ＧＨｚ帯通信接続を切断してよい。そして、通信端末２００は、２．４ＧＨｚ帯通信接続が切断された後、５ＧＨｚ用のプロファイルを用いて、通信中継装置１００と５ＧＨｚ帯通信接続を確立してよい。
【００４０】
通信中継装置１００が送信する５ＧＨｚ用のプロファイルにチャネル情報が含まれていた場合、通信端末２００と通信中継装置１００とは、当該チャネル情報が示すチャネルを利用する通信接続を確立してよい。このように、通信中継装置１００が、通信端末２００に割り当てる予定のチャネルを示すチャネル情報を予め通信端末２００に送信することによって、通信端末２００がチャネルをスキャンする時間を省略することができる。これにより、２．４ＧＨｚ帯通信接続から５ＧＨｚ帯通信接続への切り替えに要する時間を短縮することができる。
【００４１】
通信中継装置１００が送信する５ＧＨｚ用のプロファイルにＩＰ情報が含まれていた場合、通信端末２００には、当該ＩＰ情報が示すＩＰアドレスが割り当てられてよい。このように、通信中継装置１００が、通信端末２００に割り当てる予定のＩＰアドレスを示すＩＰ情報を予め通信端末２００に送信することによって、通信端末２００から５ＧＨｚ用のプロファイルを受信した後にＩＰアドレスを割り当てる場合に比べて、通信確立に要する時間を短縮することができる。
【００４２】
図３は、通信中継装置１００の機能構成の一例を概略的に示す。通信中継装置１００は、中継装置情報格納部１０２、通信接続確立部１０４、通信中継部１０６、アプリ情報受信部１０８、デジタル放送受信部１１０、放送データ送信部１１２、放送データ要求受信部１１４、ＤＦＳ（Ｄｙｎａｍｉｃ  Ｆｒｅｑｕｅｎｃｙ  Ｓｅｌｅｃｔｉｏｎ）機能部１１６、判断基準情報受信部１１８、通信設定情報生成部１２０及び切替制御部１３０を備える。なお、通信中継装置１００がこれらのすべての構成を備えることは必須とは限らない。
【００４３】
中継装置情報格納部１０２は、通信中継装置１００に関する情報を格納する。中継装置情報格納部１０２は、通信中継装置１００のＳＳＩＤ及びパスワードを格納してよい。また、中継装置情報格納部１０２は、通信中継装置１００が対応する無線通信規格の情報を格納してよい。
【００４４】
通信接続確立部１０４は、通信端末２００との間に通信接続を確立する。通信接続確立部１０４は、通信端末２００から受信したプロファイルを認証して、認証可と判定した場合に、通信端末２００との通信接続を確立する。通信接続確立部１０４は、通信端末２００から受信したプロファイルに含まれるパスワードと、中継装置情報格納部１０２に格納されているパスワードとが一致するか否かを判定することによって、プロファイルを認証してよい。
【００４５】
通信中継部１０６は、通信接続確立部１０４によって通信接続が確立された通信端末２００の通信を中継する。通信中継部１０６は、通信端末２００が、通信接続確立部１０４によって確立された通信接続を介してアクセスする通信先の情報を取得する。通信中継部１０６は、取得した通信先の情報を切替制御部１３０に送信する。
【００４６】
アプリ情報受信部１０８は、通信端末２００から、通信端末２００によって実行されたアプリケーションを示すアプリ情報を受信する。アプリ情報受信部１０８は、受信したアプリ情報を切替制御部１３０に送信する。
【００４７】
デジタル放送受信部１１０は、デジタル放送を受信する。デジタル放送受信部１１０は、地上デジタル放送を受信してよい。デジタル放送受信部１１０は、フルセグ及びワンセグを受信してよい。また、デジタル放送受信部１１０は、ＢＳデジタル放送を受信してもよい。
【００４８】
放送データ送信部１１２は、デジタル放送受信部１１０が受信したデジタル放送に対応する動画データを送信する。デジタル放送に対応する動画データとは、デジタル放送によって受信した動画を、通信接続確立部１０４によって確立した通信接続を介して通信端末２００に送信するべく変換したデータであってよい。
【００４９】
放送データ要求受信部１１４は、デジタル放送に対応する動画データを要求する放送データ要求を、通信端末２００から受信する。放送データ要求受信部１１４が放送データ要求を受信したことに応じて、放送データ送信部１１２は、デジタル放送受信部１１０が受信するデジタル放送に対応する動画データを、通信接続確立部１０４によって確立された通信接続を介して通信端末２００に送信する。また、放送データ要求受信部１１４は、放送データ要求を受信した場合、放送データ要求を受信した旨を示す情報を、切替制御部１３０に送信する。放送データ要求を受信した旨を示す情報は、放送データ要求自体であってもよい。
【００５０】
ＤＦＳ機能部１１６は、５ＧＨｚ帯において気象レーダー等を検出する。ＤＦＳ機能部１１６は、５ＧＨｚ帯において気象レーダー等を検出した場合、その旨を示す情報を切替制御部１３０に送信する。
【００５１】
判断基準情報受信部１１８は、複数種類の通信接続を切り替えるための判断基準情報を受信する。判断基準情報受信部１１８は、例えば、判断基準管理装置３００から判断基準情報を受信する。
【００５２】
判断基準情報は、複数種類の通信接続のそれぞれに対応する判断基準を含んでよい。複数種類の通信接続のうちの第１の種類の通信接続に対応する判断基準は、通信中継装置１００と通信端末２００とが当該第１の種類の通信接続を確立しているときに満たされた場合に、通信接続を第１の種類の通信接続から他の種類の通信接続に切り替える基準であってよい。第１の種類の通信接続に対応する判断基準は、切替先の通信接続の種類に関する情報を含んでもよい。例えば、判断基準情報は、通信中継装置１００と通信端末２００とが第１の種類の通信接続を確立しているときに、第１の基準が満たされた場合の切替先として第２の種類の通信接続を示す情報を含み、第２の基準が満たされた場合の切替先として第３の種類の通信接続を示す情報を含む。
【００５３】
具体例として、判断基準情報は、通信中継装置１００と通信端末２００とが第１の種類の通信接続を確立しているときに通信端末２００が実行した場合に、第２の種類の通信接続に切り替えるアプリケーションを示すアプリ情報を含む。
【００５４】
また、判断基準情報は、通信中継装置１００と通信端末２００とが第１の種類の通信接続を確立しているときに通信中継装置１００が通信端末２００から受信した場合に、第２の種類の通信接続に切り替えるデータの種類を含む。例えば、当該データの種類は、放送データ要求を示す。
【００５５】
また、判断基準情報は、通信中継装置１００と通信端末２００とが第１の種類の通信接続を確立しているときに発生した場合に、第２の種類の通信接続に切り替える現象の情報を含む。例えば、当該現象は、第１の種類の通信接続が利用する周波数帯に対する干渉を示す。第１の種類の通信接続が５ＧＨｚ帯通信接続である場合、当該現象は、例えば、５ＧＨｚ帯における気象レーダー等の検出である。
【００５６】
通信設定情報生成部１２０は、中継装置情報格納部１０２に格納されている通信中継装置１００に関する情報を用いて、通信設定情報を生成する。通信設定情報生成部１２０は、通信中継装置１００のＳＳＩＤ及びパスワードを含む通信設定情報を生成してよい。通信設定情報生成部１２０は、通信中継装置１００が利用する複数の周波数帯の利用状況に基づいて生成したチャネル情報を含む通信設定情報を生成してもよい。
【００５７】
切替制御部１３０は、通信端末２００との間に確立した通信接続の切り替えを制御する。切替制御部１３０は、複数種類の通信接続のうちの一の種類の通信接続を、他の種類の通信接続に切り替えてよい。例えば、切替制御部１３０は、通信端末２００との間に複数の無線通信規格のうちの一の通信規格に準拠した一の通信接続を確立しているときに、通信端末２００と通信中継装置１００とが、複数の無線通信規格のうちの他の通信規格に準拠した他の通信接続を確立するための通信設定情報を、当該一の通信接続を介して通信端末２００に送信することによって、通信端末２００と通信中継装置１００との間の通信接続の、当該一の通信接続から当該他の通信接続への切り替えを制御してよい。
【００５８】
切替制御部１３０は、判断基準情報格納部１３２、切替判断部１３４、通信設定情報送信部１３６及び接続端末情報格納部１３８を有する。判断基準情報格納部１３２は、判断基準情報受信部１１８が判断基準管理装置３００から受信した判断基準情報を格納してよい。また、判断基準情報格納部１３２は、通信中継装置１００の製造者によって設定された判断基準情報を格納してもよい。また、判断基準情報格納部１３２は、通信中継装置１００を使用する使用者によって設定された判断基準情報を格納してもよい。
【００５９】
切替判断部１３４は、判断基準情報格納部１３２に格納されている判断基準情報に基づいて、通信端末２００との間の通信接続を切り替えるか否かを判定する。
【００６０】
切替判断部１３４は、通信中継部１０６から通信アクセス先の情報を受信した場合に、通信端末２００との間の通信接続を切り替えるか否かを判定してよい。切替判断部１３４は、通信中継部１０６から受信した通信先の情報が示す通信先が、判断基準情報に予め登録された通信先である場合に、通信端末２００との間の通信接続を切り替えることを決定する。
【００６１】
判断基準情報には、例えば、第１無線通信規格よりも最大通信速度が速い第２無線通信規格に準拠した通信接続に対して、必ずしも高いスループットが必要でない通信先が登録される。必ずしも高いスループットが必要でない通信先とは、例えば、コンテンツに動画を含まないサイトである。またさらに、通信接続の切替先として第１無線通信規格に準拠した通信接続が登録されてよい。
【００６２】
例えば、第２無線通信規格が５ＧＨｚ帯を利用する通信規格である場合、通信中継装置１００が複数の通信端末２００と第２無線通信規格に準拠した通信接続を確立すると、通信中継装置１００は、複数の通信端末２００と時分割で通信することになるので、接続する通信端末２００の数が増えるほど、それぞれの通信端末２００のスループットは低下する。それに対して、本実施形態に係る通信中継装置１００によれば、必ずしも高いスループットが必要でない通信先にアクセスする通信端末２００との通信接続を、２．４ＧＨｚ帯を利用する通信規格等の第１無線通信規格に準拠した通信接続に切り替えることができるので、５ＧＨｚ帯通信接続を確立している複数の通信端末２００のスループットを、適切に調整することができる。
【００６３】
また、判断基準情報には、例えば、当該第１無線通信規格に準拠した通信接続に対して、高いスループットを必要とする通信先が登録される。高いスループットを必要とする通信先とは、例えば、動画配信サイトである。またさらに、通信接続の切替先として、当該第２無線通信規格に準拠した通信接続が登録されてよい。これにより、本実施形態に係る通信中継装置１００によれば、２．４ＧＨｚ帯通信接続を確立している複数の通信端末２００のうち、高いスループットを必要とする通信端末２００のみを、５ＧＨｚ帯通信接続に切り替えることができる。
【００６４】
また、切替判断部１３４は、アプリ情報受信部１０８からアプリ情報を受信した場合に、通信端末２００との間の通信接続を切り替えるか否かを判定してよい。切替判断部１３４は、アプリ情報受信部１０８から受信したアプリ情報が示すアプリケーションが、判断基準情報に登録されたアプリケーションである場合に、通信端末２００との間の通信接続を切り替えることを決定する。
【００６５】
判断基準情報には、例えば、第１無線通信規格よりも最大通信速度が速い第２無線通信規格に準拠した通信接続に対して、必ずしも高いスループットが必要でないアプリケーションが登録される。またさらに、通信接続の切替先として第１無線通信規格に準拠した通信接続が登録されてよい。また、判断基準情報には、例えば、当該第１無線通信規格に準拠した通信接続に対して、高いスループットを必要とするアプリケーションが登録される。またさらに、通信接続の切替先として第２無線通信規格に準拠した通信接続が登録されてよい。
【００６６】
高いスループットを必要とするアプリケーションとは、いわゆるストリーミングアプリ及びテレビ電話用のアプリ等であってよい。また、必ずしも高いスループットが必要でないアプリケーションとは、外部との通信を行わないアプリケーション及び外部との通信量が高いスループットを必要とするアプリケーションに比べて少ないアプリケーション等であってよい。これにより、本実施形態に係る通信中継装置１００によれば、通信端末２００が実行したアプリケーションに応じて、適切に通信端末２００との通信接続を切り替えることができる。
【００６７】
また、切替判断部１３４は、放送データ要求受信部１１４から放送データ要求を受信した旨を示す情報を受信した場合に、通信端末２００との間の通信接続を切り替えるか否かを判定してよい。切替判断部１３４は、通信端末２００との間に第１無線通信規格に準拠した通信接続が確立されているときに、放送データ要求を受信した旨を示す情報を受信した場合に、通信端末２００との間の通信接続を第２無線通信規格に準拠した通信接続に切り替えることを判定してよい。これにより、デジタル放送に対応する動画データを通信端末２００に対して送信する場合に、最大通信速度がより速い第２無線通信接続を介して送信することができるようになる。
【００６８】
なお、切替判断部１３４は、放送データ要求受信部１１４から放送データ要求を受信した旨を示す情報を受信した場合に、送信するデジタル放送に対応する動画データに基づいて、通信端末２００との間の通信接続を切り替えるか否かを判定してもよい。例えば、切替判断部１３４は、通信端末２００との間に第１無線通信規格に準拠した通信接続が確立されているときに、ワンセグに対応する動画データを通信端末２００に送信する場合には、通信接続を切り替えず、フルセグに対応する動画データを通信端末２００に送信する場合には、通信接続を第２無線通信規格に準拠した通信接続に切り替えることを判定してよい。これにより、送信するデジタル放送に対応する動画データのデータ量に応じて、通信端末２００との間の通信接続を切り替えるか否かを判定できる。
【００６９】
また、切替判断部１３４は、ＤＦＳ機能部１１６から、５ＧＨｚ帯において気象レーダー等を検出した旨を示す情報を受信した場合に、通信端末２００との間の通信接続を切り替えるか否かを判定してよい。切替判断部１３４は、通信端末２００との間に５ＧＨｚ帯通信接続が確立されているときに、５ＧＨｚ帯において気象レーダー等を検出した旨を示す情報を受信した場合、通信端末２００との間の通信接続を、２．４ＧＨｚ帯通信接続等の他の種類の通信接続に切り替えることを判定してよい。
【００７０】
通信設定情報送信部１３６は、通信設定情報生成部１２０によって生成された通信設定情報を通信端末２００に送信する。通信設定情報送信部１３６は、切替判断部１３４が、通信端末２００との間の通信接続を切り替えることを決定した場合に、通信中継装置１００と通信端末２００とが切り替え先の通信接続を確立するための通信設定情報を、通信端末２００に送信する。
【００７１】
このとき、通信設定情報生成部１２０は、中継装置情報格納部１０２に予め登録されたパスワードを用いるのではなく、ワンタイムパスワードを用いて通信設定情報を生成してもよい。すなわち、通信設定情報生成部１２０は、切替判断部１３４が通信端末２００との間の通信接続を切り替えることを決定する毎に、異なるパスワードを用いて通信設定情報を生成してよい。これにより、通信中継装置１００は、通信端末２００から通信設定情報を受信した場合に、その通信設定情報が、通信端末２００によって生成された通信設定情報であるのか、通信設定情報生成部１２０が生成した通信設定情報であるかを識別することができる。
【００７２】
また、これにより、例えば、２．４ＧＨｚ帯通信接続を確立するためのパスワードを公開し、５ＧＨｚ帯通信接続を確立するためのパスワードを非公開としておき、切替判断部１３４によって、５ＧＨｚ帯通信接続への切り替えを判定した場合のみ、通信端末２００との間に５ＧＨｚ帯通信接続を確立するという形態を実現することができる。
【００７３】
接続端末情報格納部１３８は、通信中継装置１００が通信接続を確立している複数の通信端末２００の情報を格納する。接続端末情報格納部１３８は、複数の通信端末２００のそれぞれとの間に確立している通信接続の種類を示す情報を格納する。例えば、接続端末情報格納部１３８は、通信中継装置１００が５ＧＨｚ帯通信接続及び２．４ＧＨｚ帯通信接続に対応している場合に、複数の通信端末２００のそれぞれが、５ＧＨｚ帯通信接続と、２．４ＧＨｚ帯通信接続のいずれを確立しているかを示す情報を格納する。
【００７４】
また、接続端末情報格納部１３８は、複数の通信端末２００のそれぞれの通信先を示す情報を格納してよい。また、接続端末情報格納部１３８は、複数の通信端末２００のそれぞれが実行しているアプリケーションを示すアプリ情報を格納してよい。また、接続端末情報格納部１３８は、複数の通信端末２００のそれぞれについて、デジタル放送に対応する動画データを送信しているか否かを示す情報を格納してよい。
【００７５】
切替判断部１３４は、接続端末情報格納部１３８に格納されている情報に基づいて、通信端末２００との間の通信接続を切り替えるか否かを判定してもよい。例えば、切替判断部１３４は、５ＧＨｚ帯通信接続を確立している通信端末２００が１台である場合に、通信端末２００が必ずしも高いスループットを必要としない通信先にアクセスした場合、通信接続を切り替えず、５ＧＨｚ帯通信接続を確立している通信端末２００が複数台である場合に、複数の通信端末２００のうちの１台が必ずしも高いスループットを必要としない通信先にアクセスした場合、当該通信端末２００の通信接続を２．４ＧＨｚ帯通信接続に切り替えることを判定する。
【００７６】
図４は、通信端末２００の機能構成の一例を概略的に示す。通信端末２００は、通信設定情報生成部２０２、通信設定情報格納部２０４、通信接続確立部２０６、通信部２１０及び表示制御部２３０を備える。
【００７７】
通信設定情報生成部２０２は、例えば、通信端末２００の操作者によって入力された通信中継装置１００のＳＳＩＤ及びパスワードを用いて、通信設定情報を生成する。通信設定情報生成部２０２は、通信中継装置１００から受信したＳＳＩＤと、操作者によって入力されたパスワードとを用いて通信設定情報を生成してもよい。
【００７８】
通信設定情報格納部２０４は、通信設定情報生成部２０２が生成した通信設定情報を格納する。通信接続確立部２０６は、通信中継装置１００との間に通信接続を確立する。通信接続確立部２０６は、通信設定情報格納部２０４に格納されている通信設定情報を通信中継装置１００に送信することによって、通信中継装置１００との間に通信接続を確立してよい。
【００７９】
通信部２１０は、通信接続確立部２０６によって確立された通信接続を介して、通信中継装置１００と通信する。通信部２１０は、通信中継装置１００を介して、ネットワーク１０と通信してよい。
【００８０】
通信部２１０は、放送データ要求送信部２１２、放送データ受信部２１４、アプリ情報送信部２１６及び通信設定情報受信部２１８を有する。放送データ要求送信部２１２は、放送データ要求を通信中継装置１００に送信する。放送データ要求送信部２１２は、通信端末２００の操作者の操作に応じて、放送データ要求を通信中継装置１００に送信してよい。放送データ受信部２１４は、通信中継装置１００からデジタル放送に対応する動画データを受信する。
【００８１】
アプリ情報送信部２１６は、アプリ情報を通信中継装置１００に送信する。アプリ情報送信部２１６は、通信端末２００の操作者によるアプリケーションの実行操作を検出した場合に、実行操作を検出したアプリケーションを示すアプリ情報を通信中継装置１００に送信してよい。
【００８２】
通信設定情報受信部２１８は、通信中継装置１００から通信設定情報を受信する。通信設定情報受信部２１８は、通信中継装置１００との間に確立された一の種類の通信接続を介して、通信中継装置１００との間に他の種類の通信接続を確立するための通信設定情報を受信してよい。
【００８３】
通信設定情報受信部２１８は、通信設定情報とともに、通信接続の切替指示を受信してもよい。また、通信設定情報受信部２１８は、通信設定情報とともに、通信切断要求を受信してもよい。通信設定情報格納部２０４は、通信設定情報受信部２１８が受信した通信設定情報を格納する。
【００８４】
通信接続確立部２０６は、通信設定情報受信部２１８が受信した通信設定情報に基づいて、通信中継装置１００との間に通信接続を確立してよい。通信接続確立部２０６は、通信設定情報受信部２１８が、通信設定情報とともに、通信接続の切替指示を受信した場合、当該切替指示に従って、通信接続を切り替えてよい。また、通信接続確立部２０６は、通信設定情報受信部２１８が、通信設定情報とともに、通信切断要求を受信した場合、当該通信切断要求に従って、通信中継装置１００との間の通信接続を切断してよい。そして、通信接続確立部２０６は、その後、通信設定情報に従って、通信中継装置１００との間に通信接続を確立してよい。
【００８５】
表示制御部２３０は、通信端末２００のディスプレイの表示を制御する。表示制御部２３０は、例えば、放送データ受信部２１４が受信したデジタル放送に対応する動画データを通信端末２００のディスプレイに表示させる。
【００８６】
図５は、通信中継装置１００による処理の流れの一例を概略的に示す。ここでは、通信中継装置１００が５ＧＨｚ帯通信接続及び２．４ＧＨｚ帯通信接続に対応しており、一の通信端末２００と通信接続を確立してから当該通信接続を切断するまでの処理の流れの一例を概略的に示す。図５に示す各処理は、通信中継装置１００が備える制御部が主体となって実行される。
【００８７】
ステップ５０２（ステップをＳと省略して記載する場合がある。）では、通信端末２００との間に確立された通信接続の種類が、５ＧＨｚ帯通信接続であるか、２．４ＧＨｚ帯通信接続であるかを判定する。５ＧＨｚ帯通信接続であると判定した場合、Ｓ５０４に進み、２．４ＧＨｚ帯通信接続であると判定した場合、Ｓ５１６に進む。
【００８８】
Ｓ５０４では、切替判断部１３４が、判断基準情報格納部１３２から、５ＧＨｚ帯通信接続に対応する判断基準情報を読み出す。５ＧＨｚ帯通信接続に対応する判断基準情報が読み出し済みであれば、当ステップはスキップされてよい。
【００８９】
Ｓ５０６では、通信端末２００との間で、５ＧＨｚ帯通信接続を介して通信を行う。Ｓ５０８では、切替判断部１３４が、５ＧＨｚ帯において気象レーダー等が検出されたか否かを判定する。５ＧＨｚ帯において気象レーダー等が検出されたと判定された場合、Ｓ５１２に進み、判定されなかった場合、Ｓ５１０に進む。
【００９０】
Ｓ５１０では、切替判断部１３４が、通信端末２００の通信先が予め登録された高スループットが必要な通信先であるか否かを判定する。高スループットが必要な通信先であると判定された場合、Ｓ５１４に進み、判定されなかった場合、Ｓ５１２に進む。
【００９１】
Ｓ５１２では、切替判断部１３４が通信接続の切替制御を実行する。切替判断部１３４は、通信設定情報送信部１３６を介して、通信端末２００との間に２．４ＧＨｚ帯通信接続を確立するための通信設定情報を送信することによって、通信端末２００との間の通信接続を、５ＧＨｚ帯通信接続から、２．４ＧＨｚ帯通信接続に切り替える。
【００９２】
Ｓ５１６では、切替判断部１３４が、判断基準情報格納部１３２から、２．４ＧＨｚ帯通信接続に対応する判断基準情報を読み出す。２．４ＧＨｚ帯通信接続に対応する判断基準情報が読み出し済みであれば、当ステップはスキップされてよい。
【００９３】
Ｓ５１８では、通信端末２００との間で、２．４ＧＨｚ帯通信接続を介して通信を行う。Ｓ５２０では、切替判断部１３４が、放送データ要求を受信した旨を示す情報を受信したか否かを判定する。放送データ要求を受信した旨を示す情報を受信したと判定された場合、Ｓ５２４に進み、判定されなかった場合、Ｓ５２２に進む。
【００９４】
Ｓ５２２では、切替判断部１３４が、通信端末２００の通信先が、予め登録された高スループットが必要な通信先であるか否かを判定する。高スループットが必要な通信先であると判定された場合、Ｓ５２４に進み、判定されなかった場合、Ｓ５１４に進む。
【００９５】
Ｓ５２４では、切替判断部１３４が通信接続の切替制御を実行する。切替判断部１３４は、通信設定情報送信部１３６を介して、通信端末２００との間に５ＧＨｚ帯通信接続を確立するための通信設定情報を送信することによって、通信端末２００との間の通信接続を、２．４ＧＨｚ帯通信接続から、５ＧＨｚ帯通信接続に切り替える。
【００９６】
Ｓ５１４では、通信端末２００との間の通信接続が切断されたか否かを判定する。通信接続が切断したと判定されなかった場合、Ｓ５０２に戻り、切断したと判定された場合、処理が終了する。なお、通信中継装置１００は、通信接続の切替のための切断である場合には通信接続が切断されたと判定しない。
【００９７】
図６は、通信中継装置１００と複数の通信端末２００との間の通信接続の一例を概略的に示す。図６は、６台の通信端末２００のうち、２台の通信端末２００との間に２．４ＧＨｚ帯通信接続を確立し、４台の通信端末２００との間に５ＧＨｚ帯通信接続を確立している場合を例示する。
【００９８】
通信中継装置１００は、複数の通信端末２００との通信接続の確立状況に応じて、通信接続の切替を制御してよい。例えば、切替判断部１３４は、通信中継部１０６から受信した通信端末２００の通信先、アプリ情報受信部１０８から受信したアプリ情報及び放送データ要求受信部１１４から受信した放送データ要求を受信した旨を示す情報等に基づいて通信接続を切り替えることを判定した場合であっても、複数の通信端末２００との通信接続の確立状況が予め定められた条件を満たした場合には、通信接続を切り替えないとの判定に変更する。
【００９９】
例えば、５ＧＨｚ帯通信接続への切り替えにおける予め定められた条件とは、５ＧＨｚ帯通信接続の上限数であってよい。例えば、２．４ＧＨｚ帯通信接続を確立している通信端末２００のうち、一の通信端末２００について、通信先、アプリ情報又は放送データ要求を受信した旨を示す情報等に基づいて、５ＧＨｚ帯通信へ切り替えることを判定した場合であっても、５ＧＨｚ帯通信接続の上限数に既に達していた場合には、通信接続を切り替えないとの判定に変更する。これにより、５ＧＨｚ帯通信接続を既に確立している通信端末２００の通信品質を一定以上に保つことができる。
【０１００】
また、５ＧＨｚ帯通信接続への切り替えにおける予め定められた条件とは、２．４ＧＨｚ帯通信接続の上限数であってもよい。例えば、２．４ＧＨｚ帯通信接続を確立している通信端末２００のうち、一の通信端末２００について、通信先、アプリ情報又は放送データ要求を受信した旨を示す情報等に基づいて、５ＧＨｚ帯通信へ切り替えることを判定した場合であっても、２．４ＧＨｚ帯通信接続の上限数に達していなければ、通信接続を切り替えないとの判定に変更する。
【０１０１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【０１０３】
１０  ネットワーク、２０  基地局、１００  通信中継装置、１０２  中継装置情報格納部、１０４  通信接続確立部、１０６  通信中継部、１０８  アプリ情報受信部、１１０  デジタル放送受信部、１１２  放送データ送信部、１１４  放送データ要求受信部、１１６  ＤＦＳ機能部、１１８  判断基準情報受信部、１２０  通信設定情報生成部、１３０  切替制御部、１３２  判断基準情報格納部、１３４  切替判断部、１３６  通信設定情報送信部、１３８  接続端末情報格納部、２００  通信端末、２０２  通信設定情報生成部、２０４  通信設定情報格納部、２０６  通信接続確立部、２１０  通信部、２１２  放送データ要求送信部、２１４  放送データ受信部、２１６  アプリ情報送信部、２１８  通信設定情報受信部、２３０  表示制御部、３００  判断基準管理装置
【要約】
【課題】無線ＬＡＮ基地局等の通信中継装置は、複数の種類の通信接続のうち、より適切な種類の通信接続を通信端末との間で効率的に確立できることが望ましい。
【解決手段】通信端末による通信を中継する通信中継装置であって、第１無線通信規格に準拠した第１通信接続を通信端末との間に確立する通信接続確立部と、通信端末と通信中継装置とが第２無線通信規格に準拠した第２通信接続を確立するための通信設定情報を、第１通信接続を介して通信端末に送信することによって、通信端末と通信中継装置との間の通信接続の第１通信接続から第２通信接続への切り替えを制御する切替制御部とを備える通信中継装置を提供する。
【選択図】図３【図１】
0005916175.tif 000002
【図２】
0005916175.tif 000003
【図３】
0005916175.tif 000004
【図４】
0005916175.tif 000005
【図５】
0005916175.tif 000006
【図６】
0005916175.tif 000007